(57)【要約】【課題】ボルト、ナット等の落下の危険性がなく、簡単かつ確実にジャンパー線を連結又は切り離すことができるジャンパー開閉装置を提供する。【解決手段】ジャンパー線１０１、１０３に取り付けられ、互いを連結又は切り離すことでジャンパー線間を接続又は開放する雄型開閉具３と雌型開閉具５とからなるジャンパー開閉装置１であって、雄型開閉具３は、ジャンパー線１０１を固定する固定手段１５と、突起３３、可動爪及びストッパー３７を含み構成される係止手段１７とを備え、雄型開閉具５は、ジャンパー線１０３を固定する固定手段１５と、受部３４、固定爪３６及びストッパー３７を含み構成される係止手段１８とを備え、突起３３を受部３４にスライド挿入し、又は連結した突起３３と受部３４とを所定の方向にスライドさせるだけでジャンパー線１０１、１０３を連結又は切り離すことができる。【選択図】図２
2013135536.tif 000002
【特許請求の範囲】
【請求項１】
ジャンパー線に取り付けられ、互いを連結又は切り離すことでジャンパー線間を接続又は開放する、雄型開閉具と雌型開閉具とからなるジャンパー開閉装置であって、
雄型開閉具及び雌型開閉具は、共にジャンパー線を固定する固定手段と、互いに係止する係止手段とを備え、
前記係止手段は、スライドさせるだけで互いを連結又は切り離し可能なスライド係止機構を有することを特徴とするジャンパー開閉装置。
【請求項２】
前記雄型開閉具の係止手段は、端部に溝を設けることで形成された突起、前記突起又は前記溝の内側に取り付けられた可動爪を含み構成されるスライド係止機構と、前記雌型開閉具に係止した後、互いが分離する方向に移動することを阻止するストッパーと、を有し、
前記雌型開閉具の係止手段は、前記雄型開閉具の突起が嵌り込む受部、前記雄型開閉具の可動爪が嵌り込む固定爪を含み構成されるスライド係止機構と、前記雄型開閉具に係止した後、互いが分離する方向に移動することを阻止するストッパーと、を有し、
前記雄型開閉具の突起を前記雌型開閉具の受部に対して所定の方向からスライドさせるように嵌め込み、雄型開閉具及び雌型開閉具を相手側のストッパーに当接させると、前記可動爪が前記固定爪に係止し、さらに前記ストッパーにより互いが分離する方向に移動することが阻止され互いが堅固に連結され、
前記ストッパーの係止を解除し、前記雄型開閉具を前記雌型開閉具に対して所定の方向にスライドさせると前記可動爪と前記固定爪とが係止せず互いを分離可能なことを特徴とする請求項１に記載のジャンパー開閉装置。
【請求項３】
前記スライド係止機構は、前記雄型開閉具の突起を前記雌型開閉具の受部に嵌め込む方向と逆方向には前記可動爪が前記固定爪に係止し移動を阻止する逆止機能を備えることを特徴とする請求項２に記載のジャンパー開閉装置。
【請求項４】
前記雄型開閉具及び雌型開閉具は、前記雄型開閉具の突起を前記雌型開閉具の受部に嵌め込む方向が、連結されたジャンパー線を引き離す方向と反対方向となるようにジャンパー線に取り付けられることを特徴とする請求項３に記載のジャンパー開閉装置。
【請求項５】
さらに切り離したジャンパー線を固定する各々の電力線に、切り離した前記雄型開閉具又は雌型開閉具が連結する相手方の前記雌型開閉具又は雄型開閉具が取り付けられていることを特徴とする請求項１から４のいずれか１に記載のジャンパー開閉装置。
【発明の詳細な説明】
【技術分野】
【０００１】
本発明は、ジャンパー線間を接続又は切り離すためのジャンパー開閉装置に関する。
本発明において、雄型開閉具を雌型開閉具に対して嵌め込む、又は嵌め込むようにスライドさせることは、雌型開閉具を基準に考えれば、雌型開閉具を雄型開閉具に対して嵌め込む、又は嵌め込むようにスライドさせることである。
【背景技術】
【０００２】
お客様線路（工場等）が幹線等から分岐している送電線路で、電力線の断線等早急な復旧が困難となる事故が発生した場合に、事故区間を切り離し供給支障を解消するために分岐鉄塔等のジャンパー内に開閉装置が取り付けられている。事故が発生した場合、事故区間に取り付けられたジャンパー開閉装置を切り離すことで事故区間を切り離すことができる。
【０００３】
ジャンパー開閉装置としては、ＰＧクランプ、圧縮形開閉ジャンパースリーブが多く使用されている。ＰＧクランプの場合、ジャンパー線を取り外すとき、ＰＧクランプ本体を取り外すためにＰＧクランプ本体を落下させる危険性がある。一方、圧縮形開閉ジャンパースリーブの場合には、連結に使用しているボルト、ナットを落下させる危険性がある。
【０００４】
さらにジャンパー開閉装置の開閉作業は、作業員が架線梯子に乗り出して作業するために手元が不安定な作業であり、開放時は、できるだけ早い作業が求められる一方で、ジャンパー開閉装置が落下する危険性もあり、作業員の肉体的、精神的負担は大きい。また開放したジャンパー線は、折り返し電力線にバインド線で固定するが、ジャンバー線を折り返すために相当の技量、労力及び時間を必要とする。このため従来のジャンパー開閉装置の開閉作業では、１相の処理に約４０分程度の時間を要し、また人数も４〜５名必要であった。
【０００５】
上記課題を解決するためにこれまでにいくつかのジャンパー開閉装置が提案されている。例えば、一方のジャンパー線を圧縮固定する圧縮固定部と、他方のジャンパー線を着脱可能に把持するクランプ様の着脱把持部が一体的に設けられた着脱クランプをジャンパー装置とするものがある（例えば特許文献１参照）。このジャンパー装置は、一方のジャンパー線が圧縮固定されているため、開放するとき一方のジャンパー線を切り離しても、ジャンパー装置が脱落せず、また他方のジャンパー線を着脱する着脱把持部をボルトレス構造とすることでボルトの締め付け操作を不要とする。
【０００６】
また、短時間内に事故区間の切り離し、また復旧を可能とするためにジャンパー線の切り離しを遠隔操作可能な開閉装置も開発されている（例えば特許文献２参照）。このジャンパー開閉装置は、変電所などで使用される断路器と同様に電極ブレードを回動させ開閉操作を行う。
【先行技術文献】
【特許文献】
【０００７】
【特許文献１】特開２０００−２３６６１３号公報
【特許文献２】特開２０００−３５４３１１号公報
【発明の概要】
【発明が解決しようとする課題】
【０００８】
特許文献１に記載のジャンパー装置の場合、切り離したジャンパー線をジャンパー装置の着脱把持部に固定するとき、ジャンパー線と着脱把持部とを係止する、又は仮止めする機能がないため、固定作業を行っている最中にジャンパー線が抜け落ちる恐れがある。また開放した後のジャンパー線は、仮吊り具で仮保持するため不安定である。一方、特許文献２に記載の開閉装置は、大掛りな装置であり、既設の鉄塔に簡単に利用できるものではない。
【０００９】
本発明の目的は、ボルト、ナット等の落下の危険性がなく、簡単かつ確実にジャンパー線を連結又は切り離すことができるジャンパー開閉装置を提供することである。さらに切り離したジャンパー線の端末処理も簡単かつ確実に行うことができるジャンパー開閉装置の提供を目的とする。
【課題を解決するための手段】
【００１０】
本発明は、ジャンパー線に取り付けられ、互いを連結又は切り離すことでジャンパー線間を接続又は開放する、雄型開閉具と雌型開閉具とからなるジャンパー開閉装置であって、雄型開閉具及び雌型開閉具は、共にジャンパー線を固定する固定手段と、互いに係止する係止手段とを備え、前記係止手段は、スライドさせるだけで互いを連結又は切り離し可能なスライド係止機構を有することを特徴とするジャンパー開閉装置である。
【００１１】
本発明のジャンパー開閉装置は、スライドさせるだけで互いを連結又は切り離し可能なスライド係止機構を有する雄型開閉具及び雌型開閉具からなるので、ジャンパー線の開閉にボルト、ナットさらには工具を必要としない。このためボルト、ナット等の落下の危険性がなく、一人でも簡単、確実にジャンパー線の開閉作業を行うことができる。
【００１２】
また本発明のジャンパー開閉装置は、前記ジャンパー開閉装置において、前記雄型開閉具の係止手段は、端部に溝を設けることで形成された突起、前記突起又は前記溝の内側に取り付けられた可動爪を含み構成されるスライド係止機構と、前記雌型開閉具に係止した後、互いが分離する方向に移動することを阻止するストッパーと、を有し、前記雌型開閉具の係止手段は、前記雄型開閉具の突起が嵌り込む受部、前記雄型開閉具の可動爪が嵌り込む固定爪を含み構成されるスライド係止機構と、前記雄型開閉具に係止した後、互いが分離する方向に移動することを阻止するストッパーと、を有し、前記雄型開閉具の突起を前記雌型開閉具の受部に対して所定の方向からスライドさせるように嵌め込み、雄型開閉具及び雌型開閉具を相手側のストッパーに当接させると、前記可動爪が前記固定爪に係止し、さらに前記ストッパーにより互いが分離する方向に移動することが阻止され互いが堅固に連結され、前記ストッパーの係止を解除し、前記雄型開閉具を前記雌型開閉具に対して所定の方向にスライドさせると前記可動爪と前記固定爪とが係止せず互いを分離可能なことを特徴とする。
【００１３】
本発明によれば、ジャンパー開閉装置を構成する雄型開閉具及び雌型開閉具が備える係止手段は、突起と該突起が嵌り込む受部、可動爪と該可動爪が嵌り込む固定爪、さらに互いが分離する方向に移動することを阻止するストッパーを含み構成され、所定の方向から突起を所定の位置まで受部に嵌め込むと、可動爪が固定爪に係止し、さらにストッパーが互いが分離する方向に移動することを阻止するので、ボルト、ナットを使用しなくても互いが堅固に連結される。またストッパーの係止を解除し、突起を受部に対して所定の方向にスライドさせると可動爪が固定爪に係止しないため互いを簡単に切り離すことができる。
【００１４】
また本発明のジャンパー開閉装置は、前記ジャンパー開閉装置において、前記スライド係止機構は、前記雄型開閉具の突起を前記雌型開閉具の受部に嵌め込む方向と逆方向には前記可動爪が前記固定爪に係止し移動を阻止する逆止機能を備えることを特徴とする。
【００１５】
また本発明によれば、ジャンパー開閉装置を構成する雄型開閉具及び雌型開閉具が備えるスライド係止機構が、突起を受部に嵌め込む方向と逆方向には可動爪が固定爪に係止し移動を阻止する逆止機能を備えるので、雄型開閉具及び雌型開閉具の連結状態を確実に維持することができる。
【００１６】
また本発明のジャンパー開閉装置は、前記ジャンパー開閉装置において、前記雄型開閉具及び雌型開閉具は、前記雄型開閉具の突起を前記雌型開閉具の受部に嵌め込む方向が、連結されたジャンパー線を引き離す方向と反対方向となるようにジャンパー線に取り付けられることを特徴とする。
【００１７】
また本発明によれば、ジャンパー開閉装置を構成する雄型開閉具及び雌型開閉具は、連結されたジャンパー線を引き離そうとするとスライド係止機構の逆止機能が作用するようにジャンパー線に取り付けられるので、雄型開閉具及び雌型開閉具の連結状態をより確実に維持することができる。
【００１８】
また本発明のジャンパー開閉装置は、前記ジャンパー開閉装置において、さらに切り離したジャンパー線を固定する各々の電力線に、切り離した前記雄型開閉具又は雌型開閉具が連結する相手方の前記雌型開閉具又は雄型開閉具が取り付けられていることを特徴とする。
【００１９】
また本発明によれば、ジャンパー開閉装置は、切り離したジャンパー線を固定する各々の電力線に、切り離した雄型開閉具又は雌型開閉具が連結する相手方の雌型開閉具又は雄型開閉具が取り付けられているので、切り離したジャンパー線の端末処理も簡単かつ確実に行うことができる。
【発明の効果】
【００２０】
本発明のジャンパー開閉装置を使用することで、ボルト、ナット等の落下の危険性がなく、簡単かつ確実にジャンパー線の開閉作業を行うことができる。さらに切り離したジャンパー線の端末処理も簡単かつ確実に行うことができる。
【図面の簡単な説明】
【００２１】
【図１】本発明の第１実施形態としての連結後のジャンパー開閉装置１の斜視図である。
【図２】図１のジャンパー開閉装置１を構成する雄型開閉具３と雌型開閉具５とを連結している途中の斜視図である。
【図３】図１のジャンパー開閉装置１の雄型開閉具３の斜視図である。
【図４】図１のジャンパー開閉装置１の雌型開閉具５の斜視図である。
【図５】（ａ）は、図３の切断線ＶＩ−ＶＩで切断した横断面図、（ｂ）は、図４の切断線Ｖ−Ｖで切断した横断面図ある。
【図６】（ａ）は、ジャンパー開閉装置１の雄型開閉具３の可動爪３５を含む連結部１３の縦断面図、（ｂ）は、ジャンパー開閉装置１の雌型開閉具５の固定爪３６を含む連結部１４の縦断面図である。
【図７】図１のジャンパー開閉装置１を連結している途中の可動爪３５の様子を示す平面図である。
【図８】図１のジャンパー開閉装置１の雄型開閉具３に取り付けられる他の可動爪５３を平面から見た断面図である。
【図９】本発明の第２実施形態としてのジャンパー開閉装置の構成図である。
【発明を実施するための形態】
【００２２】
図１は、本発明の第１実施形態としての連結後のジャンパー開閉装置１の斜視図である。図２は、ジャンパー開閉装置１を構成する雄型開閉具３と雌型開閉具５とを連結している途中の斜視図、図３は、ジャンパー開閉装置１の雄型開閉具３の斜視図、図４は、ジャンパー開閉装置１の雌型開閉具５の斜視図である。また図５（ａ）は、ジャンパー開閉装置１の雄型開閉具３の可動爪３５の構成を説明するための図であり、図３の切断線ＶＩ−ＶＩで切断した横断面図、図５（ｂ）は、ジャンパー開閉装置１の雌型開閉具５の固定爪３６の構成を説明するための図であり、図４の切断線Ｖ−Ｖで切断した横断面図ある。図６（ａ）は、ジャンパー開閉装置１の雄型開閉具３の可動爪３５を含む連結部１３の縦断面図、図６（ｂ）は、ジャンパー開閉装置１の雌型開閉具５の固定爪３６を含む連結部１４の縦断面図である。図７は、ジャンパー開閉装置１を連結している途中の可動爪３５の様子を示す平面図である。
【００２３】
ジャンパー開閉装置１は、ジャンパー線１０１、１０３に取り付けられ、ジャンパー線１０１とジャンパー線１０３とを連結し、または連結されたジャンパー線１０１とジャンパー線１０３とを切り離すための装置であり、ジャンパー線１０１に取り付けられる雄型開閉具３と、ジャンパー線１０３に取り付けられる雌型開閉具５とからなる。
【００２４】
雄型開閉具３は、細長い金属製の部材であり、ジャンパー線１０１を固定する固定手段１５を備える固定部１１と、雌型開閉具５の係止手段１８に係止する係止手段１７を備える連結部１３とを有する。
【００２５】
固定手段１５は、パイプを吊り下げる吊りバンド様のバンド１９と、バンド１９を締付けバンド１９に挿入されたジャンパー線１０１をしっかりと固定するボルト２１、蝶ナット２３からなる締付具２５とを備える。
【００２６】
バンド１９は、ジャンパー線１０１を把持する把持部２７と、把持部２７と一体的に形成された把持部２７を締付ける締付部２９とを有する。把持部２７は断面が円であり、締付具２５を緩めた状態で、ジャンパー線１０１をスムーズに挿入することが可能であり、締付具２５を締めた状態でジャンパー線１０１を把持部２７にしっかりと固定することができる。締付部２９は、把持部２７の端部を伸長させ、所定の間隔を有するように形成された左右一対の板状体３０ａ、３０ｂで形成され、板状体３０ａ、３０ｂには、ボルト２１が入り込む切欠き部（図示省略）が設けられている。
【００２７】
締付具２５を構成するボルト２１は、端部が板状体３０ａの端部に回動自在に取り付けられ、先端部側に雄ねじが設けられている。ボルト２１は、端部が板状体３０ａの端部に回動自在に取り付けられているので、蝶ナット２３を緩めてもボルト２１が板状体３０ａから外れて落ちることはない。板状体３０ａ、３０ｂには、ボルト２１が入り込む切欠き部が設けられているので、ボルト２１を相手側の板状体３０ｂ側に掛け渡し、蝶ナット２３をねじ込むことで簡単に把持部２７を締付けることができる。ここでは、長手方向に３つのボルト２１が設けられているが、ジャンパー線１０１を把持部２７にしっかりと固定することができれば、ボルト２１の個数は特定の個数に限定されるものではない。
【００２８】
係止手段１７は、固定部１１に並ぶように設けられた連結部１３に設けられ、雌型連結具５の受部３４に嵌り込む突起３３と、雌型連結具５の突起４６に設けられた固定爪３６に嵌り込む可動爪３５と、連結部１３の長手方向の一端部に設けられたストッパー３７とを有する。突起３３は、連結部１３の端面近傍の両サイドに長手方向の端から端まで溝３９を設け、両サイドを少し内側に切り落し鍵状に形成されており、突起３３と可動爪３５とでスライド係止機構３１を形成する。
【００２９】
可動爪３５は、平面視において三角形の形状を有する爪本体４１と爪本体４１の一端を外に押し出すように設けられたスプリング４３を有する。爪本体４１は、溝３９の内側４５の連結部１３に設けられた収納部４７に収納され、一端が支持ピン４９で回動自在に支持され、他の一端は、収納部４７から溝３９側に飛び出している。スプリング４３も収納部４７に収納されており、爪４１の残りの端部を押し出すように取り付けられている。
【００３０】
可動爪３５は、長手方向に３か所、両側の溝３９の同じ位置に左右対称に取り付けられており、スプリング４３は、左右の可動爪に共用である。ここでは、可動爪３５が片側に３個取り付けられているが個数は特に限定されない。可動爪３５を連結部１３に設けるには、例えば溝３９を含む突起３３に可動爪３５を取り付け、これを所定の高さに調整された平面状の連結部に固着させればよい。
【００３１】
ストッパー３７は、雄型連結具３と雌型連結具５とを連結させた後に、雄型連結具３と雌型連結具５とが互いに分離する方向に移動することを防止するために設けられた部材である。ストッパー３７は、細長い板状の部材であり、雄型連結具３の末端部に支持ピン５１を介して回動自在に取り付けられている。ストッパー３７の長さは、雄型連結具３と雌型連結具５とを連結させたとき、先端部を雌型連結具５側に起立させると、先端部が雌型連結具５の連結部１４に達する長さとなっている。
【００３２】
雌型開閉具５も、雄型開閉具３と同様の細長い金属製の部材で、全長は雄型開閉具３と同一であり、連結部１４を除き形状も同一である。雄型開閉具３と同一の部材、構成には同一の符号を付して説明を省略する。
【００３３】
雌型開閉具５も雄型開閉具３と同様に、ジャンパー線１０３を固定する固定手段１５を備える固定部１１と、雄型開閉具３の係止手段１７に係止する係止手段１８を備える連結部１４とを備える。固定部１１及び固定手段１５は、雄型開閉具３の固定部１１及び固定手段１５と同一の構成である。
【００３４】
係止手段１８は、固定部１１に並ぶように設けられた連結部１４に設けられ、雄型連結具３の突起３３が嵌り込む受部３４と、雄型連結具３の可動爪３５が嵌り込む固定爪３６と、連結部１４の長手方向の一端部に設けられたストッパー３７とを有する。受部３４と固定爪３６とでスライド係止機構３２を形成する。
【００３５】
受部３４は、連結部１４の端面の中央部を、長手方向の端から端まで凹状に切削し、さらに凹状の切削部の内側、両サイドに溝４０を設けたような形状からなる。これにより連結部１４の端部には突起４６が形成され、受部３４には雄型開閉具３の突起３３が隙間なく嵌り込むことができる。
【００３６】
固定爪３６は、突起４６に設けられた平面視において直角三角形の形状からなる切欠きである。固定爪３６は可動爪３５と同数、雌型開閉具５と雄型開閉具３とを連結したとき、爪本体４１の一端部（角部）が固定爪３６の角部に嵌り込むように設けられている。固定爪３６を連結部１４に設けるには、例えばＬ字型の部材の内側に固定爪３６を設け、これを所定の高さに調整された平面状の連結部の底面、両サイドに固着させればよい。ストッパー３７は、雄型開閉具３のストッパー３７と同一の構成である。
【００３７】
ジャンパー開閉装置１の使用方法を説明する。雄型開閉具５の固定部１１にジャンパー線１０１を固定し、雌型開閉具５の固定部１１にジャンパー線１０３を固定する。雄型開閉具３の末端部に取り付けられたストッパー３７、及び雌型開閉具５の末端部に取り付けられたストッパー３７を起立させた後、雄型開閉具３の突起３３の先頭部を雌型開閉具５の受部３４に嵌め込み、雄型開閉具３の先頭部を雌型開閉具５の末端部側にスライドさせるように押し込む。
【００３８】
雄型開閉具３に取り付けられた可動爪３５、及び雌型開閉具５に設けられた固定爪３６
は、雄型開閉具３を雌型開閉具５に嵌め込む方向に対して、後方が広がるように設けられているので、雄型開閉具３の先頭部を雌型開閉具５の末端部側にスライドさせると、可動爪３５は、固定爪３６の上を滑りながら移動する。このため連結時に可動爪３５が、固定爪３６に係止し、移動が阻止されることはない。
【００３９】
雄型開閉具３の先頭部が雌型開閉具５の末端部に取り付けられたストッパー３７に当接すると連結が完了する。なお、雄型開閉具３の先頭部が雌型開閉具５の末端部に取り付けられたストッパー３７に当接すると、同時に雄型開閉具３の末端部に取り付けられたストッパー３７に雌型開閉具５の先頭部が当接する。
【００４０】
雄型開閉具３と雌型開閉具５とが連結された状態において、雄型開閉具３の先頭部の雌型開閉具５の末端部側への移動は、雄型開閉具３及び雌型開閉具５に取り付けられたストッパー３７により阻止されている。一方、連結方向と逆方向には、可動爪３５一端部が固定爪３６の角部に係止し、この方向への移動が阻止されている。以上のように可動爪３５と固定爪３６とは、一方向にのみ移動を可能とし、その逆への移動は禁止する逆止装置として機能する。
【００４１】
連結された雄型開閉具３と雌型開閉具５とを切り離すには、２つのストッパー３７を倒し、係止を解除させた後に、雄型開閉具３を連結した方向にスライドさせることで簡単に切り離すことができる。以上の説明では、雄型開閉具３を雌型開閉具５に対して嵌め込む、スライドさせるとして説明したが、雌型開閉具５を基準に考えれば、雄型開閉具３を雌型開閉具５に対して嵌め込むことは、雌型開閉具５を雄型開閉具３に嵌め込むことと同じである。
【００４２】
以上のように第１実施形態に示すジャンパー開閉装置１は、雄型開閉具３を雌型開閉具５にスライド挿入するだけで連結、引き離しが可能であり、ジャンパー線１０１、１０３の開閉にボルト、ナットさらには工具を必要としないため、一人でも短時間内に確実にジャンパー線１０１、１０３の開閉作業を行うことができる。さらにボルト、ナット等を落下させる危険性がないため、作業者の精神的負担も少ない。またジャンパー線１０１、１０３を連結した後は、可動爪３５が固定爪３６に係止し、さらにストッパー３７により互いが分離する方向に移動することが阻止され互いが堅固に連結し、連結方向とは逆方向への移動も阻止されるので、雄型開閉具３及び雌型開閉具５の連結状態を確実に維持することができる。
【００４３】
上記実施形態では、可動爪３５が平面視において三角形の形状を有する爪本体４１と、爪本体４１の一端を外に押し出すように設けられたスプリング４３と、支持ピン４９とを含み構成されているが、可動爪３５は、所定の方向にスライドさせると、爪本体４１が固定爪３６に係止し、移動が阻止され、その逆方向は、爪本体４１が固定爪３６の上を滑り、爪本体４１が固定爪３６に係止されない構造であればよい。
【００４４】
図８は、他の可動爪５３を平面から見た断面図である。第１実施形態に示した雄型開閉具３と同一の部材、構成には同一の符号を付して説明を省略する。この可動爪５３は、弾性を有する金属板を平面視において三角形状に折り曲げ形成されている。一端部５５が連結部１３に固定され、連結部１３には、可動爪５３が入り込む収納部４７が設けられている。この可動爪５３は、構造が簡単なので容易に作製することができる。
【００４５】
図９は、本発明の第２実施形態としてのジャンパー開閉装置の構成図である。ジャンパー装置は、第１実施形態のジャンパー開閉装置１を２つ用いて構成されている。ジャンパー開閉装置１の構成は既に説明の通りであるからここでは使用方法を説明する。ここでは、２つのジャンパー開閉装置１を区別するため、一方のジャンパー開閉装置を１Ａ、他方のジャンパー開閉装置を１Ｂとする。
【００４６】
ジャンパー装置は、２つのジャンパー開閉装置１Ａ、１Ｂのうち、ジャンパー開閉装置１Ａがジャンパー線１０１、１０３に取り付けられている。雄型開閉具３Ａがジャンパー線１０１に、雌型開閉具５Ａがジャンパー線１０３に取り付けられ、雄型開閉具３Ａと雌型開閉具５Ａとが連結され、ジャンパー線間が接続されている。雄型開閉具３Ａ及び雌型開閉具５Ａのジャンパー線１０１、１０３への取り付け要領、雄型開閉具３Ａ及び雌型開閉具５Ａの連結要領は、第１実施形態に記載の通りであるが、雄型開閉具３Ａ及び雌型開閉具５Ａをジャンパー線１０１、１０３に取り付けるときの方向が重要である。
【００４７】
雄型開閉具３Ａ及び雌型開閉具５Ａが連結されたジャンパー線１０１、１０３は、図９に示すように空中に浮いているので、ジャンパー線１０１、１０３には互いを引き離す方向に荷重が加わる。このため雄型開閉具３Ａを雌型開閉具５Ａに嵌め込む方向と、ジャンパー線１０１、１０３を互いに引き離そうとする方向とが、逆方向となるようにジャンパー線１０１に対して雄型開閉具３Ａを、ジャンパー線１０３に対して雌型開閉具５Ａを取り付ける。
【００４８】
この状態で雄型開閉具３Ａと雌型開閉具５Ａとを連結すると、ジャンパー線１０１、１０３が互いを引き離そうとしても、可動爪３５が固定爪３６に係止しているので外れることはない。雄型開閉具３Ａを雌型開閉具５Ａに嵌め込む方向と、ジャンパー線１０１、１０３を互いに引き離そうとする方向とを一致させても、ストッパー３７が互いの移動を阻止するので簡単に外れることはないが、可動爪３５を固定爪３６に係止させる方がより確実である。
【００４９】
もう一方のジャンパー開閉装置１Ｂは、雄型開閉具３Ｂ及び雌型開閉具５Ｂをそれぞれ動力線に取り付ける。具体的には、ジャンパー線１０１と接続する動力線１０５には、雌型開閉具５Ｂを取り付け、ジャンパー線１０３と接続する動力線１０７には、雄型開閉具３Ｂを取り付ける。雄型開閉具３Ｂ及び雌型開閉具５Ｂの動力線１０７、１０５に対する取り付け位置は、動力線１０５とジャンパー線１０１とを連結するクランプ１０９、動力線１０７とジャンパー線１０３とを連結するクランプ１１１の近傍が好ましい。動力線１０５に対する雌型開閉具５Ｂ、動力線１０７に対する雄型開閉具３Ｂの取り付け要領は、ジャンパー１０１、１０３線に対する取り付け要領と同じである。
【００５０】
動力線１０５に雌型開閉具５Ｂを取り付けておけば、ジャンパー開閉装置１Ａを開放し、ジャンパー線１０１を切り離しても、ジャンパー線１０１に取り付けられた雄型開閉具３Ａを動力線１０５側の雌型開閉具５Ｂに簡単に連結させることができ、ジャンパー１０１線の端末処理を簡単に行える。ジャンパー１０３線も同様である。なお、動力線１０５に対する雌型開閉具５Ｂ、動力線１０７に対する雄型開閉具３Ｂの取り付け方向は、雄型開閉具３Ａ、雌型開閉具５Ａを連結したとき、ジャンパー線１０１、１０３線を引き離そうとする荷重のかかる方向と、可動爪３５が固定爪３６に係止する方向とを一致させる。この点は、雄型開閉具３Ａ及び雌型開閉具５Ａをジャンパー線１０１、１０３に取り付けるときと同じである。
【００５１】
以上のように第２実施形態に示すジャンパー開閉装置では、切り離したジャンパー線１０１、１０３の端末処理に、バインド線を必要とせず、雄型開閉具３Ａを雌型開閉具５Ｂにスライド挿入、雌型開閉具５Ａを雄型開閉具３Ｂにスライド挿入するだけでよいので、非常に簡単に端末処理を行うことができる。雄型開閉具３Ａを雌型開閉具５Ｂに、又は雌型開閉具５Ａを雄型開閉具３Ｂにスライド挿入するとき、挿入途中であっても可動爪３５が固定爪３６に係止し抜け落ちを防止するので使い勝手が非常によい。
【００５２】
本発明は上記実施形態に限定されるものではなく、要旨を変更しない範囲で種々変更して使用することができる。例えば、第１実施形態のジャンパー開閉装置１では、可動爪３５が溝３９の内側に取り付けられ、固定爪３６が突起４６に設けられているが、可動爪３５を突起３３に取り付け、固定爪３６を溝４０の内側に設けてもよい。
【符号の説明】
【００５３】
１、１Ａ、１Ｂ  ジャンパー開閉装置
３、３Ａ、３Ｂ  雄型開閉具
５、５Ａ、５Ｂ  雌型開閉具
１５  固定手段
１７  係止手段
１８  係止手段
１９  バンド
２１  ボルト
２３  蝶ナット
２５  締付具
３１  スライド係止機構
３２  スライド係止機構
３３  突起
３４  受部
３５  可動爪
３６  固定爪
３７  ストッパー
３９  溝
４０  溝
４５  溝３９の内側
４６  突起
５３  可動爪
１０１、１０３  ジャンパー線
１０５、１０７  動力線
【図１】
2013135536.tif 000003
【図２】
2013135536.tif 000004
【図３】
2013135536.tif 000005
【図４】
2013135536.tif 000006
【図５】
2013135536.tif 000007
【図６】
2013135536.tif 000008
【図７】
2013135536.tif 000009
【図８】
2013135536.tif 000010
【図９】
2013135536.tif 000011